(57)【特許請求の範囲】
【請求項１】
超音波を被検体に送信するとともに、該被検体によって反射される超音波を受信して超音波検出信号を出力する複数の超音波トランスデューサを含む超音波探触子を有する超音波診断装置であって、
前記複数の超音波トランスデューサのうちの１つの超音波トランスデューサ、又は該１つの超音波トランスデューサを含む開口であって、通常のＢモード画像生成用の開口より小さい所定開口の各超音波トランスデューサの前記超音波検出信号を用いると共に、前記被検体内において複数の異なる経路を伝播して前記超音波トランスデューサによって受信された前記超音波検出信号に基づいて前記複数の異なる経路毎に超音波検出信号の周波数又は振幅を算出し、前記複数の異なる経路毎に算出した周波数又は振幅の差異に基づいて前記被検体内における前記超音波の減衰の程度を求める減衰算出手段を備えたことを特徴とする超音波診断装置。
【請求項２】
前記被検体内の異なる経路を伝播した超音波を受信する前記超音波トランスデューサの各々の前記所定開口は、前記超音波トランスデューサ上の異なる位置にある事を特徴とする請求項１に記載の超音波診断装置。
【請求項３】
超音波を前記被検体に送信してから前記被検体内を超音波伝播する経路を、送信してから前記被検体内の反射点まで伝播する経路と、前記反射点から前記超音波トランスデューサ上の前記所定開口まで伝播する経路に分けるとして前記反射点の位置が前記異なる経路毎に異なる場合に、前記経路に応じて異なる位置に送信フォーカスを実施する事を特徴とする請求項１又は２に記載の超音波診断装置。
【請求項４】
複数の超音波トランスデューサにより、超音波を被検体に送信するとともに該被検体によって反射される超音波を受信して超音波検出信号を出力する工程を有する超音波測定方法であって、
減衰算出手段が、前記複数の超音波トランスデューサのうちの１つの超音波トランスデューサ、又は該１つの超音波トランスデューサを含む開口であって、通常のＢモード画像生成用の開口より小さい所定開口の各超音波トランスデューサの前記超音波検出信号を用いると共に、前記被検体内において複数の異なる経路を伝播して前記超音波トランスデューサによって受信された前記超音波検出信号に基づいて前記複数の異なる経路毎に超音波検出信号の周波数又は振幅を算出し、前記複数の異なる経路毎に算出した周波数又は振幅の差異に基づいて前記被検体内における前記超音波の減衰の程度を求める減衰算出工程を備えたことを特徴とする超音波測定方法。
【請求項５】
前記被検体内の異なる経路を伝播した超音波を受信する前記超音波トランスデューサの各々の前記所定開口は、前記超音波トランスデューサ上の異なる位置にある事を特徴とする請求項４に記載の超音波測定方法。
【請求項６】
超音波を前記被検体に送信してから前記被検体内を超音波伝播する経路を、送信してから前記被検体内の反射点まで伝播する経路と、前記反射点から前記超音波トランスデューサ上の前記所定開口まで伝播する経路に分けるとして前記反射点の位置が前記異なる経路毎に異なる場合に、前記経路に応じて異なる位置に送信フォーカスを実施する事を特徴とする請求項４又は５に記載の超音波測定方法。
【発明の詳細な説明】
【技術分野】
【０００１】
本発明は、超音波診断装置及び超音波測定方法に関し、特に、超音波を利用して被検体の診断部位について超音波画像を撮影して表示し、被検体の組織性状の診断に用いるため、被検体の着目領域内における超音波の減衰を求める超音波診断装置及び超音波測定方法
に関する。
【背景技術】
【０００２】
従来より、超音波を利用して被検体の診断部位について超音波画像を撮影して表示する超音波診断装置が知られており、超音波の音速、減衰、散乱などの音響特性を計測し、被検体組織の内部構造や構成成分などの性状診断や、組織、病変弁別など、診断に活用されてきた。
【０００３】
特に、被検体の着目領域内における超音波の減衰を計測し、組織の内部構造、構成成分などの性状診断や組織、病変弁別など、診断に適用する様々な試みがなされてきた。
【０００４】
例えば、特許文献１においては、受信信号を複数個の帯域フィルタ群により帯域分割し、個別に検波した強度信号を重み付け加算するか、あるいは、色相加算して画像表示することにより、患者の生体内の超音波伝搬にともなう減衰情報を付加することによって、微少なコントラストの差の視認性を大幅に向上させるようにしたものが開示されている。
【先行技術文献】
【特許文献】
【０００５】
【特許文献１】特開平７−５１２７０号公報
【発明の概要】
【発明が解決しようとする課題】
【０００６】
しかしながら、上述した例のように従来は、超音波の周波数や振幅の変化から減衰を求めているが、そこで用いている信号は整合加算後の信号であるため、整合加算前の素子信号に比べて以下のように不利な点を有しているという問題がある。
【０００７】
すなわち、整合加算後の信号は、異なる経路伝播により異なる振幅や周波数を有している整合加算前の各素子信号に対し、それを加算することによってぼやけてしまった信号となる。また、整合加算されることによって、各経路の振幅や周波数の情報は失われてしまう。
【０００８】
本発明は、このような事情に鑑みてなされたもので、ぼやけることなく、また各経路の情報を失うことなく、高精度に減衰を求めることのできる超音波診断装置及び超音波測定方法を提供することを目的とする。
【課題を解決するための手段】
【０００９】
前記目的を達成するために、請求項１に記載の発明は、超音波を被検体に送信するとともに、該被検体によって反射される超音波を受信して超音波検出信号を出力する複数の超音波トランスデューサを含む超音波探触子を有する超音波診断装置であって、前記複数の超音波トランスデューサのうちの１つの超音波トランスデューサ、又は該１つの超音波トランスデューサを含む開口であって、通常のＢモード画像生成用の開口より小さい所定開口の各超音波トランスデューサの前記超音波検出信号を用いると共に、前記被検体内において複数の異なる経路を伝播して前記超音波トランスデューサによって受信された前記超音波検出信号に基づいて前記複数の異なる経路毎に超音波検出信号の周波数又は振幅を算出し、前記複数の異なる経路毎に算出した周波数又は振幅の差異に基づいて前記被検体内における前記超音波の減衰の程度を求める減衰算出手段を備えたことを特徴とする超音波診断装置を提供する。
【００１０】
これにより、通常のＢモード画像生成用の開口のように大きな開口の各超音波トランスデューサの超音波検出信号を整合加算後の信号を用いるよりも高精度に減衰係数を求めることが可能となる。
【００１１】
また、請求項２に示すように、前記被検体内の異なる経路を伝播した超音波を受信する前記超音波トランスデューサの各々の前記所定開口は、前記超音波トランスデューサ上の異なる位置にある事を特徴とする。
また、請求項３に示すように、超音波を前記被検体に送信してから前記被検体内を超音波伝播する経路を、送信してから前記被検体内の反射点まで伝播する経路と、前記反射点から前記超音波トランスデューサ上の前記所定開口まで伝播する経路に分けるとして前記反射点の位置が前記異なる経路毎に異なる場合に、前記経路に応じて異なる位置に送信フォーカスを実施する事を特徴とする。
【００１５】
また、同様に前記目的を達成するために、請求項４に記載の発明は、複数の超音波トランスデューサにより、超音波を被検体に送信するとともに該被検体によって反射される超音波を受信して超音波検出信号を出力する工程を有する超音波測定方法であって、減衰算出手段が、前記複数の超音波トランスデューサのうちの１つの超音波トランスデューサ、又は該１つの超音波トランスデューサを含む開口であって、通常のＢモード画像生成用の開口より小さい所定開口の各超音波トランスデューサの前記超音波検出信号を用いると共に、前記被検体内において複数の異なる経路を伝播して前記超音波トランスデューサによって受信された前記超音波検出信号に基づいて前記複数の異なる経路毎に超音波検出信号の周波数又は振幅を算出し、前記複数の異なる経路毎に算出した周波数又は振幅の差異に基づいて前記被検体内における前記超音波の減衰の程度を求める減衰算出工程を備えたことを特徴とする超音波測定方法を提供する。
【００１６】
これにより、通常のＢモード画像生成用の開口のように大きな開口の各超音波トランスデューサの超音波検出信号を整合加算後の信号を用いるよりも高精度に減衰係数を求めることが可能となる。
【００１７】
また、請求項５に示すように、前記被検体内の異なる経路を伝播した超音波を受信する前記超音波トランスデューサの各々の前記所定開口は、前記超音波トランスデューサ上の異なる位置にある事を特徴とする。
また、請求項６に示すように、超音波を前記被検体に送信してから前記被検体内を超音波伝播する経路を、送信してから前記被検体内の反射点まで伝播する経路と、前記反射点から前記超音波トランスデューサ上の前記所定開口まで伝播する経路に分けるとして前記反射点の位置が前記異なる経路毎に異なる場合に、前記経路に応じて異なる位置に送信フォーカスを実施する事を特徴とする。
【発明の効果】
【００２１】
以上説明したように、本発明によれば、整合加算前の各超音波トランスデューサの受信信号を用いるようにしたため、整合加算後の信号を用いるよりも高精度に減衰係数を求めることが可能となる。
【図面の簡単な説明】
【００２２】
【図１】本発明の一実施形態に係る超音波診断装置の概略構成を示すブロック図である。
【図２】減衰係数の分布を求める処理の流れを示すフローチャートである。
【図３】深さＸの着目点からの各素子受信信号の中心周波数を求める様子を示す模式図である。
【図４】減衰係数が不均一の場合に、局所的な減衰係数を求める様子を示す模式図である。
【図５】局所的な減衰係数を求める処理の流れを表すフローチャートである。
【図６】着目点及び局所領域と格子点を設定する様子を示す模式図である。
【図７】着目点から格子を経て素子に至る伝播経路を求める様子を示す模式図である。
【発明を実施するための形態】
【００２３】
以下、添付図面を参照して、本発明に係る超音波診断装置及び超音波測定方法について詳細に説明する。
【００２４】
図１は、本発明の一実施形態に係る超音波診断装置の概略構成を示すブロック図である。
【００２５】
図１に示すように、本実施形態の超音波診断装置１０は、超音波探触子３００から被検体ＯＢＪに超音波ビームを送信して、被検体ＯＢＪによって反射された超音波ビーム（超音波エコー）を受信し、超音波エコーの検出信号から超音波画像を作成し表示する装置である。
【００２６】
ＣＰＵ（Central Processing Unit)１００は、操作入力部２００からの操作入力に応じて超音波診断装置１０の各ブロックの制御を行う。
【００２７】
操作入力部２００は、オペレータからの操作入力を受け付ける入力デバイスであり、操作卓２０２とポインティングデバイス２０４とを含んでいる。操作卓２０２は、文字情報（例えば、患者情報）の入力を受け付けるキーボードと、振幅画像（Ｂモード画像）を単独で表示するモードと減衰の計測結果を表示するモードとの間で表示モードを切り替える表示モード切り替えボタンと、ライブモードとフリーズモードとの切り替えを指示するためのフリーズボタンと、シネメモリ再生を指示するためのシネメモリ再生ボタンと、超音波画像の解析・計測を指示するための解析・計測ボタンとを含んでいる。ポインティングデバイス２０４は、表示部１０４の画面上における領域の指定の入力を受け付けるデバイスであり、例えば、トラックボール又はマウスである。なお、ポインティングデバイス２０４としては、タッチパネルを用いることも可能である。
【００２８】
格納部１０２は、ＣＰＵ１００に超音波診断装置１０の各ブロックの制御をさせるための制御プログラムが格納される記憶装置であり、例えば、ハードディスク又は半導体メモリである。
【００２９】
表示部１０４は、例えば、ＣＲＴ（Cathode Ray Tube)ディスプレイ又は液晶ディスプレイであり、超音波画像（動画及び静止画）の表示及び各種の設定画面を表示する。
【００３０】
超音波探触子３００は、被検体ＯＢＪに当接させて用いるプローブであり、１次元又は２次元のトランスデューサアレイを構成する複数の超音波トランスデューサ３０２を備えている。超音波トランスデューサ３０２は、送信回路４０２から印加される駆動信号に基づいて超音波ビームを被検体ＯＢＪに送信するとともに、被検体ＯＢＪから反射される超音波エコーを受信して検出信号を出力する。
【００３１】
超音波トランスデューサ３０２は、圧電性を有する材料（圧電体）の両端に電極が形成されて構成された振動子を含んでいる。このような振動子を構成する圧電体としては、例えば、ＰＺＴ（チタン酸ジルコン酸鉛：Ｐｂ(lead) zirconate titanate)のような圧電セラミック、ＰＶＤＦ（ポリフッ化ビニリデン：polyvinylidene difluoride)のような高分子圧電素子を用いることができる。上記振動子の電極に電気信号を送って電圧を印加すると圧電体が伸縮し、この圧電体の伸縮により各振動子において超音波が発生する。例えば、振動子の電極にパルス状の電気信号を送るとパルス状の超音波が発生し、また振動子の電極に連続波の電気信号を送ると連続波の超音波が発生する。そして、各振動子において発生した超音波が合成されて超音波ビームが形成される。また、各振動子により超音波が受信されると、各振動子の圧電体が伸縮して電気信号を発生する。各振動子において発生した電気信号は、超音波の検出信号として受信回路４０４に出力される。
【００３２】
なお、超音波トランスデューサ３０２としては、超音波変換方式の異なる複数種類の素子を用いることも可能である。例えば、超音波を送信する素子として上記圧電体により構成される振動子を用いて、超音波を受信する素子として光検出方式の超音波トランスデューサを用いるようにしてもよい。ここで、光検出方式の超音波トランスデューサとは、超音波信号を光信号に変換して検出するものであり、例えば、ファブリーペロー共振器又はファイバブラッググレーティングである。
【００３３】
次に、ライブモード時における超音波診断処理について説明する。ライブモードは、被検体ＯＢＪに超音波探触子３００を当接させて超音波の送受信を行うことによって得られた超音波画像（動画）の表示や解析・計測を行うモードである。
【００３４】
超音波探触子３００が被検体ＯＢＪに当接されて、操作入力部２００からの指示入力により超音波診断が開始されると、ＣＰＵ１００は、送受信部４００に制御信号を出力して、超音波ビームの被検体ＯＢＪへの送信、及び被検体ＯＢＪからの超音波エコーの受信を開始させる。ＣＰＵ１００は、超音波トランスデューサ３０２毎に超音波ビームの送信方向と超音波エコーの受信方向とを設定する。
【００３５】
さらに、ＣＰＵ１００は、超音波ビームの送信方向に応じて送信遅延パターンを選択するとともに、超音波エコーの受信方向に応じて受信遅延パターンを選択する。ここで、送信遅延パターンとは、複数の超音波トランスデューサ３０２から送信される超音波によって所望の方向に超音波ビームを形成するために駆動信号に与えられる遅延時間のパターンデータであり、受信遅延パターンとは、複数の超音波トランスデューサ３０２によって受信される遅延時間のパターンデータである。上記送信遅延パターン及び受信遅延パターンは予め格納部１０２に格納されている。ＣＰＵ１００は、格納部１０２に格納されているものの中から送信遅延パターン及び受信遅延パターンを選択し、選択した送信遅延パターン及び受信遅延パターンに従って、送受信部４００に制御信号を出力して超音波の送受信制御を行う。
【００３６】
送信回路４０２は、ＣＰＵ１００からの制御信号に応じて駆動信号を生成して、該駆動信号を超音波トランスデューサ３０２に印加する。このとき、送信回路４０２は、ＣＰＵ１００によって選択された送信遅延パターンに基づいて、各超音波トランスデューサ３０２に印加する駆動信号を遅延させる。ここで、送信回路４０２は、複数の超音波トランスデューサ３０２から送信される超音波が超音波ビームを形成するように、各超音波トランスデューサ３０２に駆動信号を印加するタイミングを調整する（遅延させる）送信フォーカスを実行する。なお、複数の超音波トランスデューサ３０２から一度に送信される超音波が被検体ＯＢＪの撮像領域全体に届くように、駆動信号を印加するタイミングを調節するようにしもてよい。
【００３７】
受信回路４０４は、各超音波トランスデューサ３０２から出力される超音波検出信号を受信して増幅する。上記のように、各超音波トランスデューサ３０２と被検体ＯＢＪ内の超音波反射源との間の距離がそれぞれ異なるため、各超音波トランスデューサ３０２に反射波が到達する時間が異なる。受信回路４０４は遅延回路を備えており、ＣＰＵ１００によって選択された音速（以下、仮定音速という）又は音速の分布に基づいて設定される受信遅延パターンに従って、反射波の到達時刻の差（遅延時間）に相当する分、各検出信号を遅延させる。次に、受信回路４０４は、遅延時間を与えた検出信号を整合加算することにより受信フォーカス処理を行う。超音波反射源ＸＲＯＩと異なる位置に別の超音波反射源がある場合には、別の超音波反射源からの超音波検出信号は到達時間が異なるので、上記受信回路４０４の加算回路で加算することにより、別の超音波反射源からの超音波検出信号の位相が打ち消し合う。これにより、超音波反射源ＸＲＯＩからの受信信号が最も大きくなり、フォーカスが合う。上記受信フォーカス処理によって、超音波エコーの焦点が絞り込まれた音線信号（以下、ＲＦ信号という）が形成される。
【００３８】
Ａ／Ｄ変換器４０６は、受信回路４０４から出力されるアナログのＲＦ信号をデジタルＲＦ信号（以下、ＲＦデータという）に変換する。ここで、ＲＦデータは、受信波（搬送波）の位相情報を含んでいる。Ａ／Ｄ変換器４０６から出力されるＲＦデータは、信号処理部５０２とシネメモリ６０２にそれぞれ入力される。
【００３９】
シネメモリ６０２は、Ａ／Ｄ変換器４０６から入力されるＲＦデータを順次格納する。また、シネメモリ６０２は、ＣＰＵ１００から入力されるフレームレートに関する情報（例えば、超音波の反射位置の深度、走査線の密度、視野幅を示すパラメータ）を上記ＲＦデータに関連付けて格納する。
【００４０】
信号処理部５０２は、上記ＲＦデータに対して、ＳＴＣ（Sensitivity Time gain Control)によって、超音波の反射位置の深度に応じて距離による減衰の補正をした後、包絡線検波処理を施し、Ｂモード画像データ（超音波エコーの振幅を点の明るさ（輝度）によって表した画像データ）を生成する。
【００４１】
信号処理部５０２によって生成されたＢモード画像データは、通常のテレビジョン信号の走査方式と異なる走査方式によって得られたものである。このため、ＤＳＣ（Digital Scan Converter)５０４は、上記Ｂモード画像データを通常の画像データ（例えば、テレビジョン信号の走査方式（ＮＴＳＣ方式）の画像データ）に変換（ラスター変換）する。画像処理部５０６は、ＤＳＣ５０４から入力される画像データに、各種の必要な画像処理（例えば、階調処理）を施す。
【００４２】
画像メモリ５０８は、画像処理部５０６から入力された画像データを格納する。Ｄ／Ａ変換器５１０は、画像メモリ５０８から読み出された画像データをアナログの画像信号に変換して表示部１０４に出力する。これにより、超音波探触子３００によって撮影された超音波画像（動画）が表示部１０４に表示される。
【００４３】
なお、本実施形態では、受信回路４０４において受信フォーカス処理が施された検出信号をＲＦ信号としたが、受信フォーカス処理が施されていない検出信号をＲＦ信号としてもよい。この場合、複数の超音波トランスデューサ３０２から出力される複数の超音波検出信号が、受信回路４０４において増幅され、増幅された検出信号、すなわち、ＲＦ信号が、Ａ／Ｄ変換器４０６においてＡ／Ｄ変換されることによってＲＦデータが生成される。そして、上記ＲＦデータは、信号処理部５０２に供給されるとともに、シネメモリ６０２に格納される。受信フォーカス処理は、信号処理部５０２においてデジタル的に行われる。
【００４４】
次に、シネメモリ再生モードについて説明する。シネメモリ再生モードは、シネメモリ６０２に格納されているＲＦデータに基づいて超音波診断画像の表示や解析・計測を行うモードである。
【００４５】
操作卓２０２のシネメモリ再生ボタンが押下されると、ＣＰＵ１００は、超音波診断装置１０の動作モードをシネメモリ再生モードに切り替える。シネメモリ再生モード時には、ＣＰＵ１００は、オペレータからの操作入力により指定されたＲＦデータの再生をシネメモリ再生部６０４に指示する。シネメモリ再生部６０４は、ＣＰＵ１００からの指令に基づいて、シネメモリ６０２からＲＦデータを読み出して、画像信号生成部５００の信号処理部５０２に送信する。シネメモリ６０２から送信されたＲＦデータは、信号処理部５０２、ＤＳＣ５０４及び画像処理部５０６において所定の処理（ライブモード時と同様の処理）が施されて画像データに変換された後、画像メモリ５０８及びＤ／Ａ変換器５１０を経て表示部１０４に出力される。これにより、シネメモリ６０２に格納されたＲＦデータに基づく超音波画像（動画又は静止画）が表示部１０４に表示される。
【００４６】
ライブモード又はシネメモリ再生モード時において、超音波画像（動画）が表示されているときに操作卓２０２のフリーズボタンが押下されると、フリーズボタン押下時に表示されている超音波画像が表示部１０４に静止画表示される。これにより、オペレータは、着目領域（ＲＯＩ：Region of Interest)の静止画を表示させて観察することができる。
【００４７】
操作卓２０２の計測ボタンが押下されると、オペレータからの操作入力により指定された解析・計測が行われる。データ解析計測部１０６は、各動作モード時に計測ボタンが押下された場合に、Ａ／Ｄ変換器４０６又はシネメモリ６０２から、画像処理が施される前のＲＦデータを取得し、当該ＲＦデータを用いてオペレータ指定の解析・計測（例えば、組織部の歪み解析（硬さ診断）、血流の計測、組織部の動き計測、又はＩＭＴ（内膜中膜複合体厚：Intima-Media Thickness)値計測）を行う。また、データ解析計測部１０６は、詳しくは後述するような減衰の計測を行う。データ解析計測部１０６による解析・計測結果は、画像信号生成部５００のＤＳＣ５０４に出力される。ＤＳＣ５０４は、データ解析計測部１０６による解析・計測結果を超音波画像の画像データに挿入して表示部１０４に出力する。これにより、超音波画像と解析・計測結果とが表示部１０４に表示される。
【００４８】
また、表示モード切り替えボタンが押下されると、Ｂモード画像を単独で表示するモード、Ｂモード画像に減衰計測結果を重畳して表示するモード（例えば、減衰係数に応じて色分け又は輝度を変化させる表示、又は減衰係数が等しい点を線で結ぶ表示）、Ｂモード画像と減衰計測結果の画像を並べて表示するモードの間で表示モードが切り替わる。これにより、オペレータは、減衰計測結果を観察することで、例えば、病変を発見することができる。
【００４９】
なお、減衰計測結果に基づいて、送信フォーカス処理及び受診フォーカス処理の少なくとも一方を施すことにより得られたＢモード画像を表示部１０４に表示するようにしてもよい。
【００５０】
以下、本実施形態の超音波診断装置１０の作用について説明する。
【００５１】
本発明は、整合加算前の各素子受信信号（素子信号）を用いることで、高精度に減衰を求めるものである。具体的には、減衰を求める方法として、以下の２つの方法が用いられる。
【００５２】
（１）送信フォーカスを掛けて擬似的な点反射を形成し、その各素子受信データを用いて、真中素子の受信信号の中心周波数の深さ方向の変化から減衰係数の分布を求める。
【００５３】
（２）送信フォーカスを掛けて擬似的な点反射を形成し、その各素子受信データを用いて、各素子受信信号の中心周波数から減衰係数及び深さを求める。
【００５４】
上記（１）の手法においては、単位深さではなく、単位伝播時間あたりの減衰係数の分布を求めることができる。このとき別途、音速計測により深さを求めれば、単位深さあたりの減衰係数の分布を求めることができる。本手法により、整合加算によるぼやけ誤差を取り除くことができる。
【００５５】
また、上記（２）の手法においては、送信時の中心周波数が未知でも求められるが、送信時の中心周波数が既知の方が減衰係数を高精度で求めることができる。本手法によれば、各素子（複数経路）信号の中心周波数から、深さとともに単位深さあたりの減衰係数を求めることができる。また、音速計測と組み合わせれば、減衰係数を高精度に求めることができる。
【００５６】
まず、上記（１）の手法で減衰係数の分布を求める方法を説明する。
【００５７】
図２は、（１）の手法で減衰係数の分布を求める処理の流れを示すフローチャートである。
【００５８】
まず、図２のステップＳ１０において、着目領域を設定する。
【００５９】
次に、ステップＳ１２において、着目領域内の各ラインに沿って所定数の送信焦点を設定し、該当する送信フォーカスを実施し、各素子受信する。
【００６０】
このとき、各着目点に対応する送信フォーカスを選択するために、事前に各送信フォーカスの有効域を以下のようにして判定するようにしても良い。
【００６１】
すなわち、まず送信フォーカスＮｏｉを設定し、所定の指定ラインＮｏに対して指定ライン幅内でラインＮｏｊを選択し、焦点Ｎｏｉ及びラインＮｏｊの各素子受信信号を読み込む。次に設定音速Ｎｏｋを設定して、送信フォーカスＮｏｉのラインＮｏｊの受信信号に設定音速Ｎｏｋの受信フォーカスを実施し、シャープネスやコントラストなどフォーカスの程度を示す指標を計算し保存しておく。または画像を保存しておく。この処理を設定音速Ｎｏを変えて繰り返し行い、所定の設定音速について処理が終了したら、指定ライン幅内でラインＮｏを変更し、新たなラインＮｏに対してまた上記のように設定音速Ｎｏｋを変えて受信フォーカスを実施し、指標または画像を保存しておく。
【００６２】
次に、指定ライン幅内の全ラインにおける各設定音速の指標または画像から各深さの環境音速（平均音速）を求め、環境音速の深さ方向の標準偏差を算出し、最小点を実際の焦点深さと判定し、送信フォーカスＮｏｉの有効域を求める。そして、送信フォーカスＮｏを変更して、次の送信フォーカスＮｏに対する有効域を上と同様にして求める。
【００６３】
なお、各着目点に対応して送信フォーカスを実施するようにしても良い。
【００６４】
次に、ステップＳ１４において、着目領域内に、所定数の着目点、（ｘ１，ｙ１），・・・，（ｘｎ，ｙｍ）を設定する。
【００６５】
そして、ステップＳ１６において、着目点（ｘｉ，ｙｊ）の方位位置初期値を設定し、ｘｉ＝ｘ１とする。また、ステップＳ１８において、着目点（ｘｉ，ｙｊ）の深さ位置初期値を設定し、ｙｊ＝ｙ１とする。
【００６６】
次に、ステップＳ２０において、着目点（ｘｉ，ｙｊ）に対する送信フォーカスの各素子受信信号を選択し、真中素子の着目点の深さに相当する信号の中心周波数を求める。
【００６７】
中心周波数を求める方法としては、まず受信信号から着目点深さの時刻を基点とした所定時刻（深さ）範囲を取得し、周波数変換後に次の式、
∫ｆ＊Ｐ（ｆ）ｄｆ／∫Ｐ（ｆ）ｄｆ、により重心を求める。ここで、ｆは周波数、Ｐ（ｆ）は周波数ｆにおけるスペクトル密度である。
【００６８】
なお、このような計算をすることなく、スペクトル密度分布を出した後、スペクトル密度が最大となる周波数を中心周波数としても良いし、スペクトル密度が最大となる周波数の半値幅の中心としても良い。あるいは、検波処理を実施して得られた位相の深さ方向の傾きが参照信号の中心周波数との差に比例することから求めるようにしてもよい。つまり、深さ方向の位相変化から中心周波数を求めても良い。
【００６９】
また、中心周波数を求める際に、真中素子を含めた所定開口で整合加算すれば、ノイズや干渉を減らして求めることができる。
【００７０】
次に、ステップＳ２２において、深さ方向に着目点を（ｘｉ，ｙｊ）から（ｘｉ，ｙｊ＋１）と、１つ進める。そして、ステップＳ２４において、ｊ＞ｍが成立するか否かにより、方位位置ｘｉに対応する深さ方向の全ての着目点についての処理が終了したか否か判断する。
【００７１】
その結果、方位位置ｘｉに対応する深さ方向の全ての着目点についての処理がまだ終了していない場合には、ステップＳ２０に戻り、上記処理を繰り返す。
【００７２】
また、方位位置ｘｉに対応する深さ方向の全ての着目点についての処理が終了した場合には、次のステップＳ２６において、方位位置ｘｉの各着目点の中心周波数の深さ方向に差分をとり、その結果を減衰係数として格納する。
【００７３】
そして、次のステップＳ２８において、ｘｉをｘｉ＋１として方位方向に着目点を１つ進め、ステップＳ３０において、ｉ＞ｎが成立するか否かにより、方位方向の全ての着目点についての処理が終了したか否か判断する。
【００７４】
その結果、方位方向についてまだ全ての着目点についての処理が終了していない場合には、ステップＳ１８に戻り、上記処理を繰り返す。また、方位方向についても全ての着目点について処理が終了した場合には、全ての処理を終了する。
【００７５】
なお、上で説明した例においては、説明を簡単にするために、着目領域内の着目点のとり方を、方位方向ｘｉにｎ個、深さ方向ｙｊにｍ個とり、縦横ｎ×ｍの長方形状に着目点をとったが、着目点のとり方はこれに限定されるものではない。すなわち、各方位位置ｘｉに対する深さｙｊが一定でなくとも良い。
【００７６】
また、ステップＳ２６において、差分をとるとき、差分をとる前に、深さ方向に平滑化フィルタを掛けても良いし、曲線フィッティングしても良い。または、差分をとらずに、方位方向に関する繰り返し処理を一通り終了して、その結果得られた中心周波数２次元データに、２次元平滑化フィルタを掛けても良いし、曲面フィッティングしても良い。また各着目点の深さに相当する信号の中心周波数を求める際に、必ずしも真中素子または真中素子を含めた所定開口で整合加算した信号でなくとも、ある素子またはある素子を含めた所定開口で整合加算した信号でも良い。
【００７７】
以上の処理によって、着目領域の各着目点における減衰係数を得ることができる。ただし、ここでの減衰係数は、単位深さではなく、単位伝播時間当たりの減衰係数を表している。
【００７８】
次に、上記（２）の手法により、単位深さあたりの減衰係数を求める方法について説明する。
【００７９】
これは、上述したように、送信フォーカスを掛けて擬似的な点反射を形成し、その各素子受信データを用いて、各素子受信信号の中心周波数から減衰係数及び深さを求める方法である。
【００８０】
まず、対象の減衰が均一な場合の減衰係数を求める方法を説明する。
【００８１】
生体内において、周波数f、伝播距離ｘにおける減衰はexp(−α0fｘ)で与えられる。ただし、本式は吸収及び散乱による減衰が周波数に比例することに基づいており、その減衰係数をα0としている。また拡散減衰は周波数に依存しないためここでは考慮していない。
【００８２】
上式の減衰の下で、ガウシアン型の超音波パルスの伝播にともなう中心周波数シフトは、伝播距離ｘに比例する。つまり、伝播距離ｘにおける中心周波数Ｆ（ｘ）は、以下の式で与えられる。
【００８３】
Ｆ（ｘ）＝Ｆ（０）−αｘ      ・・・（１）
ここでαは、α0とガウシアン型超音波パルスの帯域によって決まる係数である。
【００８４】
ここで図３に示すように、超音波トランスデューサ（素子）３０２の素子位置Ｄにおける深さＸの着目点からの素子受信信号の中心周波数は、上記（１）式から、次の（２）式で与えられる。
【００８５】
Ｆ（Ｘ，Ｄ）＝Ｆ（０）−α（Ｘ＋√（Ｘ２＋Ｄ２））      ・・・（２）
ここで、（２）式の未知数は、Ｆ（０）とαとＸの３つなので、３素子以上の受信信号の中心周波数Ｆ（Ｘ，Ｄ）がわかれば、各変数を求めることができる。
【００８６】
しかし、実際には、送信時の中心周波数Ｆ（０）はわかるので、これを与えて、αとＸを振ることにより、（２）式による中心周波数と実測の中心周波数が最も良く一致するαとＸを求める方法が望ましい。また、別途、音速計測によってＸが既知ならば、αを振って、実測の中心周波数と最も良く一致するαを求めれば、さらに高精度に減衰係数αを求めることができる。
【００８７】
また、生体の場合、例えば肝臓実質のように、計測領域において明瞭な反射体がなく、無数の散乱体があるだけの場合もある。しかし、送信フォーカスを掛けることによって、無数の散乱体中に擬似的に点反射を形成することができるため、上記手法を適用することが可能となる。
【００８８】
図３を用いて説明した上記手法は、対象の減衰係数αが均一な場合には、そのαを求めることができるが、不均一の場合には、その平均的なαを求めることができるだけである。
【００８９】
そこで、次に、図４に示すように、着目点よりも浅い（素子３０２に近い）格子点をとり、局所領域を設定して、着目点⇒各格子点⇒素子の伝播経路を求め、各格子点における中心周波数を求め、これから局所領域の減衰係数αを求める方法を説明する。
【００９０】
以下、図５のフローチャートに沿って、局所的な減衰係数を求める方法を説明する。
【００９１】
まず、図５のステップＳ４０において、着目領域を設定する。
【００９２】
次に、ステップＳ４２において、着目領域内の各ラインに沿って所定数の送信焦点を設定し、該当する送信フォーカスを実施し、各素子受信する。
【００９３】
このとき、前述した例と同様に、各着目点に対応する送信フォーカスを選択するために、事前に各送信フォーカスの有効域を判定するようにしても良い。
【００９４】
次に、ステップＳ４４において、図６に示すように、着目領域内に、所定数の着目点、（ｘ１，ｙ１），・・・，（ｘｎ，ｙｍ）を設定する。
【００９５】
そして、ステップＳ４６において、着目点（ｘｉ，ｙｊ）の方位位置初期値を設定し、ｘｉ＝ｘ１とする。また、ステップＳ４８において、着目点（ｘｉ，ｙｊ）の深さ位置初期値を設定し、ｙｊ＝ｙ１とする。
【００９６】
次に、ステップＳ５０において、着目点（ｘｉ，ｙｊ）の局所領域を設定する。ここで、図６に示すように、局所領域はその上面に着目点が設置されるように設定し、その下面に各格子点を設置する。そして、着目点⇒格子⇒素子という伝播経路を求める。
【００９７】
なお、局所領域を設定する際、着目領域下面と局所領域下面は一致しなくとも良い。例えば、局所領域下面は、別途、エッジ検出やユーザ設定によって決められた境界でも良い。また、平面である必要もなく、曲面であっても良い。
【００９８】
着目点⇒格子⇒素子の伝播経路の算出については、例えば図７に示すように、局所領域内の局所音速または局所受信時刻を求める際、同時に局所領域内の着目点深さ（着目点⇒各格子点の伝播経路）及び各格子点⇒素子の伝播経路を求めることができる。以下、これについて説明する。
【００９９】
図７において、被検体ＯＢＪ内の局所領域ＲＯＩの着目点をＸＲＯＩとし、着目点ＸＲＯＩよりも浅い（すなわち、素子３０２に近い）位置にＸＹ方向に等間隔に配置された格子点をＡ１、Ａ２、Ａ３、・・・とし、少なくとも着目点ＸＲＯＩと各格子点Ａ１、Ａ２、Ａ３、・・・との間の音速Ｖはそれぞれ一定であると仮定する。なお、ここで局所領域における局所音速値を求める演算に使用する格子点Ａ１、Ａ２、Ａ３、・・・の範囲及び個数は予め決めておく。
【０１００】
まず、着目点ＸＲＯＩと、着目点ＸＲＯＩより浅い格子点Ａ１、Ａ２、Ａ３、・・・の受信時刻を算出する。着目点ＸＲＯＩと、各格子点Ａ１、Ａ２、Ａ３、・・・における受信時刻は公知の画像解析及び位相収差解析の手法によって求めることができる。
【０１０１】
次に、局所領域の仮定音速の初期値を設定し、仮定音速から決まる、着目点⇒各格子の伝播時間と、各格子受信時刻の和をとり、合成受信時刻を算出する。
【０１０２】
すなわち、局所領域ＲＯＩにおいて設定した仮定音速によって決まる、着目点ＸＲＯＩから各格子点Ａ１、Ａ２、Ａ３、・・・への伝播時間を算出し、これと上で求められている各格子点Ａ１、Ａ２、Ａ３、・・・における受信時刻との和を求める。
【０１０３】
今、図７に示すように、局所領域ＲＯＩにおける仮定音速をＶとすると、着目点ＸＲＯＩから各格子点Ａ１、Ａ２、Ａ３、・・・への伝播時間は、それぞれＸＲＯＩＡ１／Ｖ、ＸＲＯＩＡ２／Ｖ、ＸＲＯＩＡ３／Ｖ、・・・で求められる。ここで、ＸＲＯＩＡ１、ＸＲＯＩＡ２、ＸＲＯＩＡ３、・・・は、着目点ＸＲＯＩから各格子点Ａ１、Ａ２、Ａ３、・・・までの距離を表し、局所領域ＲＯＩの深さ方向の幅ΔＹ（Ｙ方向の距離）及び着目点ＸＲＯＩと各格子点Ａ１、Ａ２、Ａ３、・・・とのＸ方向の距離ΔＸＡ1、ΔＸＡ2、ΔＸＡ3、・・・から三平方の定理により√(ΔＸＡ12＋ΔＹ2)、√(ΔＸＡ22＋ΔＹ2)、√(ΔＸＡ32＋ΔＹ2)、・・・として求めることができる。そしてΔＹは、Ｖと局所領域ＲＯＩの深さ方向の時間幅ΔＴ（着目点ＸＲＯＩとその直下の格子点Ａnの直下の素子における受信時刻、または最小受信時刻の差）からΔＹ= ΔＴ ＊Ｖ ／ ２として求めることができる。
【０１０４】
一方、各格子点Ａ１、Ａ２、Ａ３、・・・における受信時刻はすでに求めてあるので、着目点⇒各格子の伝播時間と、各格子受信時刻の和を求めて、その合成受信時刻を算出することができる。
【０１０５】
そして、各素子について、上記合成受信時刻のうち最小となる合成受信時刻をその素子の合成受信時刻とする（すなわち、着目点ＸＲＯＩから格子点Ａｋを通って（Ａｋで屈折して）ある素子に至る経路のうち伝播時間が最小となる経路を求めることとなる）。
【０１０６】
そして、上で求めた各素子の（伝播時間が最小となる経路に対応する）合成受信時刻と、各素子の着目点ＸＲＯＩからの受信時刻とを比較する。各素子の合成受信時刻と、各素子の受信時刻を比較してその誤差を求め、前回の比較のときよりもその誤差が小さい合成受信時刻（あるいはそれに対応する仮定音速）を保存する。
【０１０７】
そして、仮定音速を１ステップ変更し、予め設定された全ての仮定音速に対しての演算が終了したか否か判断する。そして、まだ全ての仮定音速についての演算が終了していない場合には、上記の処理を繰り返す。
【０１０８】
一方、全ての仮定音速についての演算が終了した場合には、最終的に保存されている合成受信時刻（あるいはそれに対応する仮定音速）から局所領域における局所音速を判定する。そして、局所音速とともに局所領域内の着目点深さ（着目点⇒各格子点の伝播経路）及び各格子点⇒素子の伝播経路も求まることとなる。
【０１０９】
なお、上記処理においては、着目点のみでなく各格子点に対応する送信フォーカスが必要となる。つまり、もし着目領域下面と局所領域下面が一致しない場合には、別途局所領域下面に対応する送信フォーカスが必要な場合もある。
【０１１０】
上記説明において、局所領域の局所音速を判定するために、一着目点のみでなく、局所領域内の深さ方向にまたは２次元的（あるいは３次元的）に設定した複数の着目点で求めた受信時刻の誤差の総和をとるようにすることで、より高精度に局所音速を判定することができる。なお、この時、複数の着目点で求めた受信時刻の誤差ではなく、各着目点の局所音速の平均をとってもよい。
【０１１１】
また、着目点ＸＲＯＩより浅い格子点のとり方としては、先にも述べた通り、図７に示したものに限定されず、着目点ＸＲＯＩより下側（素子３０２側）に、任意の曲面上に設置するようにしてもよい。例えば、組織や病変の境界上に設置しても良い。
【０１１２】
図５のフローチャートに戻り、次に、ステップＳ５２において、局所領域下面の各格子における中心周波数を各素子信号の中心周波数を格子点⇒素子の経路に沿ってシフトすることによって求める。
【０１１３】
具体的には、各格子点について対応する素子を上で求めた格子点⇒素子の伝播経路から特定し、この素子の受信信号の中心周波数から格子点⇒素子の中心周波数シフト量を引き、格子点における中心周波数を求める。
【０１１４】
そのために、まず、各格子に対応する送信フォーカスを掛けて得られた各素子信号において、上のステップＳ５０において、すでに、画像解析及び位相収差解析によって特定した受信時刻を中心に所定時刻範囲を周波数変換し、または深さ方向の位相変化傾きから各素子の受信信号の中心周波数を求める。
【０１１５】
この時、求める素子を含む所定開口で、該当する受信時刻の信号を整合加算しておいても良い。これによりノイズや干渉を減らして求めることができる。
【０１１６】
次に、格子⇒素子の伝播による中心周波数シフト量を求める。ある格子に関して、（中心周波数［真中の素子の受信信号］−中心周波数［送信時］）／２、が素子⇒格子点の中心周波数シフト量である。
【０１１７】
この値を、（中心周波数［各素子の受信信号］−中心周波数［送信時］）、から引いた値が、格子点⇒各素子の伝播経路の中心周波数シフト量を示している。
【０１１８】
送信時の中心周波数が未知だとしても、格子点⇒各素子の全経路で均一減衰を仮定すれば、上記（２）式において、Ｆ（０）、α、Ｘを仮定して求めた各素子中心周波数と実測の各素子中心周波数との誤差が最小のＦ（０）、α、Ｘを求め、それからシフト量を求めることができる。ただし、送信時の中心周波数が既知の方が精度は良い。
【０１１９】
次に、着目点に対応する送信フォーカスを掛けて得られた各素子受信信号において、ステップＳ５０において、すでに、画像解析及び位相収差解析によって特定した受信時刻を
中心に所定時刻範囲を周波数変換し、または深さ方向の位相変化傾きから中心周波数を求める。
【０１２０】
そして、上で求めた格子⇒素子の中心周波数シフト量の内、局所音速とともに求めた格子⇒素子の伝播経路に沿う値を抽出し、上で求めた各素子における中心周波数から引くことによって各格子における中心周波数を求める。
【０１２１】
以上の処理において、格子点⇒素子の中心周波数シフト量を求める各素子受信信号は格子点に対応する送信フォーカスを掛けて得られた信号、格子点の中心周波数を求めるための各素子受信信号は着目点に対応する送信フォーカスを掛けて得られた信号であることに注意する。
【０１２２】
次に、図５のステップＳ５４において、局所領域内の減衰係数を仮定して求めた各格子中心周波数と各素子信号の中心周波数シフトにより求めた中心周波数との誤差を求め、それを減衰係数毎に保持する。
【０１２３】
まず、着目点⇒各格子点の伝播経路が上のステップＳ５０で求められているため、着目点における中心周波数、及び局所領域の減衰係数αを仮定すれば、上記（２）式によって各格子の中心周波数を求めることができる。
【０１２４】
そして、この各格子の中心周波数と、上のステップＳ５２で求めた各格子点の中心周波数とを比較し、その誤差を求める。この誤差を今仮定している減衰係数α毎に保持する。
【０１２５】
次に、ステップＳ５６において、深さ方向の位置ｙｊを１つ変更し、ステップＳ５８で、ｊ＞ｍが成り立つか否か、すなわち、深さ方向の全ての位置についての処理が終了したか否か判断する。まだ、全ての深さ方向位置ｙｊについての処理が終了していない場合には、ステップＳ５０に戻り、上記処理を繰り返す。
【０１２６】
また、全ての深さ方向位置ｙｊについての処理が終了した場合には、次のステップＳ６０において、方位方向の位置ｘｉを１つ変更し、ステップＳ６２において、ｉ＞ｎが成り立つか否か、すなわち、全ての方位方向位置ｘｉについての処理が終了したか否か判断する。
【０１２７】
まだ、全ての方位方向位置ｘｉについての処理が終了していない場合には、ステップＳ４８に戻り、上記処理を繰り返す。
【０１２８】
また、全ての方位方向位置ｘｉについての処理が終了した場合には、次のステップＳ６４において、全着目点に関して求めた各減衰係数の誤差の総和を算出、比較し、誤差最小の減衰係数αを真値と判定する。
【０１２９】
このとき、各着目点に対して減衰係数を求め、その平均値を真値と判定してもよい。また、各着目点に対して減衰係数を求め、そのままの値を着目領域内の減衰係数分布として表示してもよい。この場合、局所領域を各着目点を中心に所定サイズで設定してもよい。
【０１３０】
また、着目点⇒各格子点の伝播経路長を敢えて与えずに、着目点の中心周波数、減衰係数αとともに振っても良い。また、各着目点の中心周波数を、その深さ方向位置と減衰係数αに基づいて与えても良い。例えば着目点真下の格子点における中心周波数を仮定すると、その格子点と着目点との距離がステップＳ５０で求められているため、それと減衰係数αから、着目点における中心周波数が与えられる。ここで複数の着目点で真下の格子点が共通となるように局所領域を設定した場合、それらの着目点における中心周波数は共通の真下の格子点における中心周波数と減衰係数αにより一意に与えられることとなり、各着目点の中心周波数を独立に振る方法に比べ精度向上が望める。また、着目点真下の格子点⇒着目点⇒各格子点の伝播経路から減衰係数αを求めても良い。この場合、真下の格子点における素子⇒格子点の周波数シフト量が既知のため、中心周波数［送信時］から引けば本格子点における中心周波数を求めることができる。従って、減衰係数αのみを振って高精度に求めることができる。ここで、真下格子点における周波数シフト量を求める各素子受信信号は、真下格子点に対応する送信フォーカスを掛けて得られた信号であることに注意する。
【０１３１】
また、図５のフローチャートのように各着目点に対して設定した各局所領域において局所音速及び着目点⇒格子⇒素子の伝播経路を個別に求めるのではなく、着目領域内の局所音速を一定と見做して各着目点の着目点⇒格子⇒素子の伝播経路を求めても良い。この場合、着目領域内の一つの局所領域、例えば着目領域全体を局所領域に設定して局所音速を求めても良い。また着目領域内の一着目点のみでなく、複数の着目点で求めた受信時刻の誤差や局所音速に基づいて局所音速を求めても良い。
【０１３２】
なお、以上説明した減衰係数を求める処理において、中心周波数の代わりに振幅の変化を利用しても良い。ただし、振幅は減衰のみでなく、拡散や送信フォーカス、非線形特性などの影響を受けるため、上記（１）式のような単純な伝播距離との比例関係は成り立たない。これに関しては、減衰が伝播距離のみでなく、周波数に依存することを利用して解決することができる。
【０１３３】
具体的には、「２周波数の対数圧縮後の振幅の差」が伝播距離に比例し、かつ、差をとることで上記の他要因の影響が低減されているため、「中心周波数」の代わりに上述した処理と同様の処理を適用することができる。「対数圧縮をしない振幅比」の場合、伝播距離によって指数関数的に変化するが、そのことを考慮すれば、これも「中心周波数」の代わりに上述した処理と同様の処理を適用することができる。
【０１３４】
以上説明したように、本実施形態においては、真中素子の受信信号の中心周波数の深さ方向の変化から減衰係数の分布を求めるようにしたため、あるいは、各素子受信信号の中心周波数から減衰係数を求めるようにしたため、整合加算後の信号を用いるよりも、高精度に減衰係数を求めることができるようになった。
【０１３５】
以上、本発明に係る超音波診断装置及び超音波測定方法について詳細に説明したが、本発明は、以上の例には限定されず、本発明の要旨を逸脱しない範囲において、各種の改良や変形を行ってもよいのはもちろんである。
【符号の説明】
【０１３６】
１０…超音波診断装置、１００…ＣＰＵ、１０４…表示部、１０６…データ解析計測部、２００…操作入力部、３００…超音波探触子、３０２…超音波トランスデューサ、４００…送受信部、５００…画像信号生成部、５０２…信号処理部、５０６…画像処理部
【図１】
0005689257.tif 000002
【図２】
0005689257.tif 000003
【図３】
0005689257.tif 000004
【図４】
0005689257.tif 000005
【図５】
0005689257.tif 000006
【図６】
0005689257.tif 000007
【図７】
0005689257.tif 000008